(57)【要約】【課題】光源ユニットの取付作業を容易にできる照明器具を提供する。【解決手段】照明器具１は、光を出射する光源ユニット３と、凹部１１０を含むベースユニット５と、凹部１１０内で光源ユニット３を挟持する挟持部１００とを備える。照明器具１は、少なくとも２つの被係合部８５さらに備えることが好ましい。挟持部１００は、少なくとも２つの被係合部８５に対応して、少なくとも２つの係合部１０を含むことが好ましい。少なくとも２つの係合部１０の各々は、対応する被係合部８５に係合することが好ましい。【選択図】図２
2016212994.tif 000002
【特許請求の範囲】
【請求項１】
光を出射する光源ユニットと、
凹部を含むベースユニットと、
前記凹部内で前記光源ユニットを挟持する挟持部と
を備える、照明器具。
【請求項２】
少なくとも２つの被係合部をさらに備え、
前記挟持部は、
前記少なくとも２つの被係合部に対応し、各々が対応する前記被係合部に係合する少なくとも２つの係合部を含む、請求項１に記載の照明器具。
【請求項３】
前記係合部の各々は、
第１方向への前記光源ユニットのスライドに応じて、前記被係合部に係合し、
前記第１方向と逆の第２方向への前記光源ユニットのスライドに応じて、前記被係合部から外れ、
前記係合部の各々は、摺接部を含み、
前記摺接部は、前記光源ユニットが前記第２方向へスライドするときに、前記被係合部に摺接する、請求項２に記載の照明器具。
【請求項４】
前記挟持部は、前記光源ユニットの両端部のうちの一方端部よりも、前記光源ユニットの重心に近い位置で前記光源ユニットを挟持する、請求項１から請求項３のいずれか１項に記載の照明器具。
【請求項５】
前記光源ユニットは、光源部と、前記光源部に電力を供給する電源部とを含み、
前記挟持部は、前記凹部内で前記電源部を挟持する、請求項１から請求項４のいずれか１項に記載の照明器具。
【請求項６】
前記挟持部は、前記凹部に取り付けられる、請求項１から請求項５のいずれか１項に記載の照明器具。
【請求項７】
前記挟持部は、前記光源ユニットに取り付けられる、請求項１から請求項５のいずれか１項に記載の照明器具。
【請求項８】
前記光源ユニットは、前記ベースユニットに引っ掛けられる引掛部材を含む、請求項１から請求項７のいずれか１項に記載の照明器具。
【発明の詳細な説明】
【技術分野】
【０００１】
本発明は、照明器具に関する。
【背景技術】
【０００２】
特許文献１に記載された照明器具は、器具本体と、器具本体に着脱可能な光源ユニットとを備える。光源ユニットは、ベース部材と、拡散カバーと、係止部材とを備える。ベース部材は、ＬＥＤ素子が配列された搭載面と背面とを有する。拡散カバーは、ベース部材の搭載面及びＬＥＤ素子を覆う。係止部材は、菱形に折り曲げられた金属の線材からなり、ベース部材の背面側に設けられる。係止部材は、器具本体に係止して光源ユニットを器具本体に取り付ける。
【先行技術文献】
【特許文献】
【０００３】
【特許文献１】特開２０１２−１８５９８１号公報
【発明の概要】
【発明が解決しようとする課題】
【０００４】
しかしながら、特許文献１に記載された照明器具では、光源ユニットを器具本体に取り付けるときに、係止部材を器具本体のフックに引っ掛ける作業が要求され、取付作業が煩雑である。
【０００５】
本発明は上記課題に鑑みてなされたものであり、その目的は、光源ユニットの取付作業を容易にできる照明器具を提供することにある。
【課題を解決するための手段】
【０００６】
本願に開示する照明器具は、光を出射する光源ユニットと、凹部を含むベースユニットと、前記凹部内で前記光源ユニットを挟持する挟持部とを備える。
【０００７】
本願に開示する照明器具は、少なくとも２つの被係合部をさらに備えることが好ましい。前記挟持部は、前記少なくとも２つの被係合部に対応して、少なくとも２つの係合部を含むことが好ましい。少なくとも２つの係合部の各々は、対応する前記被係合部に係合することが好ましい。
【０００８】
本願に開示する照明器具において、前記係合部の各々は、第１方向への前記光源ユニットのスライドに応じて、前記被係合部に係合し、前記第１方向と逆の第２方向への前記光源ユニットのスライドに応じて、前記被係合部から外れることが好ましい。前記係合部の各々は、摺接部を含むことが好ましい。前記摺接部は、前記光源ユニットが前記第２方向へスライドするときに、前記被係合部に摺接することが好ましい。
【０００９】
本願に開示する照明器具において、前記挟持部は、前記光源ユニットの両端部のうちの一方端部よりも、前記光源ユニットの重心に近い位置で前記光源ユニットを挟持することが好ましい。
【００１０】
本願に開示する照明器具において、前記光源ユニットは、光源部と、前記光源部に電力を供給する電源部とをさらに含むことが好ましい。前記挟持部は、前記凹部内で前記電源部を挟持することが好ましい。
【００１１】
本願に開示する照明器具において、前記挟持部は、前記凹部に取り付けられることが好ましい。
【００１２】
本願に開示する照明器具において、前記挟持部は、前記光源ユニットに取り付けられることが好ましい。
【００１３】
本願に開示する照明器具において、前記光源ユニットは、前記ベースユニットに引っ掛けられる引掛部材を含むことが好ましい。
【発明の効果】
【００１４】
本発明によれば、光源ユニットの取付作業を容易にできる。
【図面の簡単な説明】
【００１５】
【図１】本発明の実施形態１に係る照明器具を示す斜視図である。
【図２】本発明の実施形態１に係る照明器具の光源ユニットとベースユニットと挟持部材とを示す斜視図である。
【図３】本発明の実施形態１に係る照明器具のベースユニットと挟持部材とを示す斜視図である。
【図４】（ａ）（ｂ）本発明の実施形態１に係る照明器具の挟持部材を示す斜視図である。（ｃ）本発明の実施形態１に係る照明器具の挟持部材を示す断面図である。
【図５】本発明の実施形態１に係る照明器具を示す分解斜視図である。
【図６】図１のＶＩ−ＶＩ線に沿った断面図である。
【図７】（ａ）図６の係合部及び被係合部を示す拡大断面図である。（ｂ）本発明の実施形態１に係る照明器具の係合部及び被係合部を示す斜視図である。
【図８】図１のＶＩＩＩ−ＶＩＩＩ線に沿った断面図である。
【図９】本発明の実施形態１に係る照明器具の光源ユニットをベースユニットに取り付ける手順の前段を示す斜視図である。
【図１０】（ａ）〜（ｃ）本発明の実施形態１に係る照明器具の光源ユニットをベースユニットに取り付ける手順の後段を示す側面図である。
【図１１】（ａ）本発明の実施形態２に係る照明器具の挟持部を示す斜視図である。（ｂ）本発明の実施形態２に係る照明器具の挟持部を示す断面図である。
【図１２】本発明の実施形態２に係る照明器具を示す断面図である。
【図１３】（ａ）図１２の係合部及び被係合部を示す拡大断面図である。（ｂ）本発明の実施形態２に係る照明器具の係合部及び被係合部を示す斜視図である。
【発明を実施するための形態】
【００１６】
以下、本発明の実施形態について、図面を参照しながら説明する。なお、図中、同一または相当部分については同一の参照符号を付して説明を繰り返さない。本発明の実施形態において、Ｘ軸、Ｙ軸、及びＺ軸は互いに直交し、Ｘ軸及びＹ軸は水平面に平行であり、Ｚ軸は鉛直線に平行である。
【００１７】
（実施形態１）
図１は、本発明の実施形態１に係る照明器具１を示す斜視図である。図１に示すように、照明器具１は、光源ユニット３とベースユニット５とを備える。
【００１８】
光源ユニット３は光を出射する。光源ユニット３はベースユニット５に取り付けられる。光源ユニット３は、一定方向ＰＤに沿って延びている。実施形態１では、方向ＰＤは第１方向ＦＤ又は第２方向ＳＤを示す。第１方向ＦＤは、Ｙ軸の正方向と略平行である。第２方向ＳＤは、第１方向ＦＤの逆方向である。
【００１９】
ベースユニット５は、方向ＰＤに沿って延びており、建造物のような構造物における取付部に取り付けられる。実施形態１では、取付部は建造物における部屋の天井面である。
【００２０】
図２は、照明器具１の光源ユニット３とベースユニット５と挟持部材１００とを示す斜視図である。図３は、ベースユニット５と挟持部材１００とを示す斜視図である。
【００２１】
図２及び図３に示すように、ベースユニット５は凹部１１０を含む。凹部１１０は、方向ＰＤに沿って延びており、溝状である。凹部１１０は、断面略Ｕ字状であり、天壁部１１０ａと、互いに対向する一対の側壁部１１０ｂとを有する。天壁部１１０ａ及び一対の側壁部１１０ｂは、方向ＰＤに沿って延びている。天壁部１１０ａの長手方向の略中央には、天井から電源線を導入するための貫通孔１１６が形成される。
【００２２】
光源ユニット３は、光源部に電力を供給する電源部８４を含む。電源部８４は、光源ユニット３の長手方向の一対の端部のうち一方端部よりも、光源ユニット３の長手方向の中央に近い位置に配置される。具体的には、電源部８４は貫通孔１１６の近傍に配置される。そして、電源部８４には、貫通孔１１６から導入された電源線から、端子台を介して、外部電源電圧が供給される。
【００２３】
また、光源ユニット３は、互いに対向する２つの被係合部８５を含む。具体的には、電源部８４は２つの被係合部８５を含む。図２には、２つの被係合部８５のうちの一方の被係合部８５だけが表れている。２つの被係合部８５のうちの一方の被係合部８５は、電源部８４において、他方の被係合部８５が形成された面に対向する面に形成されている。２つの被係合部８５は、光源ユニット３の短手方向に沿って配置される。具体的には、２つの被係合部８５は、光源ユニット３がベースユニット５に取り付けられたときに、２つの側壁部１１０ｂの間に位置するように配置される。実施形態１によれば、電源部８４に被係合部８５を形成しているため、被係合部８５を専用部材として用意することが要求されず、部品点数及び組立工数を削減できる。
【００２４】
照明器具１は、挟持部としての挟持部材１００をさらに備える。挟持部材１００は、略Ｕ字状であり、弾性を有し、例えば、金属製の板バネである。挟持部材１００は凹部１１０に取り付けられる。具体的には、挟持部材１００は天壁部１１０ａに取り付けられる。挟持部材１００は、ベースユニット５の長手方向の一対の端部のうち一方端部よりも、ベースユニット５の長手方向の中央に近い位置に配置される。具体的には、挟持部材１００は、貫通孔１１６の近傍に配置される。
【００２５】
光源ユニット３が矢印Ａの方向に向かって凹部１１０に押し込まれると、挟持部材１００は、凹部１１０内で光源ユニット３を挟持する。その結果、光源ユニット３がベースユニット５に取り付けられる。実施形態１によれば、作業者は、光源ユニット３を挟持部材１００に嵌め込み、光源ユニット３を挟持部材１００に挟持させることによって、ベースユニット５へ光源ユニット３を容易に取り付けることができる。
【００２６】
具体的には、挟持部材１００は、凹部１１０内で電源部８４を挟持する。従って、実施形態１によれば、挟持部材１００に挟持される被挟持部材を専用部材として用意することが要求されず、部品点数及び組立工数を削減できる。また、比較的重い電源部８４を挟持することによって、光源ユニット３が自重によって撓むことを抑制できる。さらに、電源部８４は凹部１１０に向かって突出しているため、ベースユニット５へ光源ユニット３を更に容易に取り付けることができる。
【００２７】
図２及び図４を参照して、挟持部材１００の詳細について説明する。図４（ａ）及び図４（ｂ）は、挟持部材１００を示す斜視図である。図４（ｃ）は、挟持部材１００を示す断面図である。図４（ａ）〜図４（ｃ）に示すように、挟持部材１００は、２つの係合部１０と、連結部１８とを含む。連結部１８は、略板状であり、２つの係合部１０を連結する。連結部１８には２つの貫通孔２０が形成される。貫通孔２０を介して凹部１１０の天壁部１１０ａに向かってビスが捻じ込まれ、挟持部材１００が凹部１１０に取り付けられる。
【００２８】
２つの係合部１０は、電源部８４の２つの被係合部８５に対応する。係合部１０の各々は、対応する被係合部８５に係合する。その結果、電源部８４が挟持される。実施形態１によれば、係合部１０が被係合部８５に係合するため、光源ユニット３の位置が第１方向ＦＤ又は第２方向ＳＤにずれることを抑制できる。例えば、光源ユニット３の位置が水平方向にずれることを抑制できる。加えて、光源ユニット３の位置が方向ＰＤに交差する方向にずれることを抑制できる。例えば、光源ユニット３の位置が鉛直方向にずれることを抑制できる。
【００２９】
２つの係合部１０は、互いに対向し、連結部１８を通る対称軸ＡＸに対して対称となるように形成される。係合部１０の各々は、基部１１と、第１傾斜部１２と、第２傾斜部１４と、摺接部１５とを含む。
【００３０】
一対の基部１１は、略板状であり、連結部１８の一対の端部から略垂直に延びている。一対の第１傾斜部１２は、略板状であり、一対の基部１１の先端部から、互いに近づくように延びており、基部１１に対して傾斜している。一対の第２傾斜部１４は、略板状であり、一対の第１傾斜部１２の先端部から、互いに離れるように延びており、第１傾斜部１２に対して傾斜している。第１傾斜部１２と第２傾斜部１４とは、凸部２２を形成する。凸部２２は、断面視略Ｖ字状である。一対の凸部２２は、互いに向き合う方向へ突き出ており、電源部８４の一対の被係合部８５に係合する。
【００３１】
一対の摺接部１５は、略板状であり、一対の第２傾斜部１４の側端部から、互いに離れるように延びており、第２傾斜部１４に対して傾斜している。摺接部１５は、第１傾斜部１２の側端部２４に近づくように、第２傾斜部１４の側端部から屈曲している。そして、光源ユニット３が、第２方向ＳＤへスライドし、ベースユニット５から取り外されるときに、摺接部１５は、被係合部８５に摺接する。従って、摺接部１５を設けない場合と比較して、係合部１０が被係合部８５から円滑に外れる。その結果、実施形態１によれば、ベースユニット５から光源ユニット３を容易に取り外すことができる。
【００３２】
図５を参照して、照明器具１の詳細について説明する。図５は、照明器具１を示す分解斜視図である。
【００３３】
図５に示すように、照明器具１の光源ユニット３は、電源部８４に加えて、カバー部材４０、光源部６０、ベース部材７０、及び一対の引掛金具８０を含む。引掛金具８０は引掛部材として機能する。
【００３４】
カバー部材４０は、方向ＰＤに沿って延びており、光源部６０を覆い、光源部６０が出射した光を拡散する。カバー部材４０は略半円柱形状に形成され、カバー部材４０の下面（つまり、照明器具１を天井面に取り付けたときに下側を向く面）は湾曲している。カバー部材４０は、白色半透明の他、光拡散材料を含有した樹脂で成形したり、透明材料で成形した後に表面に光拡散処理を施したりしてもよい。
【００３５】
光源部６０は、方向ＰＤに沿って延びており、光を発光する複数のＬＥＤ（Ｌｉｇｈｔ  Ｅｍｉｔｔｉｎｇ  Ｄｉｏｄｅ）６２、及び基板６４を含む。複数のＬＥＤ６２は、直線状に配列されて、基板６４の実装面６４ａに実装される。
【００３６】
ベース部材７０は、方向ＰＤに沿って延びており、断面略Ｕ字状である。ベース部材７０は、底壁部７２と、互いに対向する一対の側壁部７４とを有する。底壁部７２の下面７２ａと基板６４の実装面６４ａの反対面とが対向するように、ベース部材７０に光源部６０が取り付けられる。
【００３７】
一対の引掛金具８０は、底壁部７２の上面に配置され、ベース部材７０の長手方向の一対の端部に固定される。引掛金具８０は鉤状の先端部を有する。一対の引掛金具８０は、ベースユニット５に引っ掛けられる。
【００３８】
電源部８４は、光源部６０に電力を供給する。具体的には、電源部８４は、電源回路部８４ａと、電源回路部８４ａを収容する金属製のケース８４ｂとを含む。ケース８４ｂは互いに対向する一対の側壁部８４ｃを含む。電源回路部８４ａは、外部電源電圧に基づいて、各ＬＥＤ６２を点灯させるための電力を各ＬＥＤ６２に供給する。電源回路部８４ａは、ケース８４ｂの内部上面に取り付けられる。そして、ケース８４ｂは、ベース部材７０の底壁部７２の上面に取り付けられる。その結果、電源部８４がベース部材７０に取り付けられる。
【００３９】
ケース８４ｂの一対の側壁部８４ｃには、一対の被係合部８５が形成される。図５には、一対の被係合部８５のうちの一方の被係合部８５だけが表れている。
【００４０】
また、図５に示すように、照明器具１のベースユニット５は、凹部１１０に加えて、一対の延設部１１２、一対のエンド部材１１４、及び仮吊り部１１７をさらに含む。実施形態１では、凹部１１０及び延設部１１２は、鋼板を折曲加工することによって形成される。
【００４１】
延設部１１２は、凹部１１０に沿って延びている。延設部１１２は、側壁部１１０ｂに対して鋭角を形成するように、凹部１１０の外側に向かって凹部１１０から屈曲して設けられる。延設部１１２の傾斜面は、光源ユニット３が出射した光を効率良く反射するために、白色塗装などの反射加工が施されていることが好ましい。
【００４２】
一対のエンド部材１１４は、ベースユニット５の長手方向の一対の端部を構成する。一対のエンド部材１１４の裏部には、一対の引掛金具８０が引っ掛けられる。その結果、光源ユニット３は一対のエンド部材１１４によって支持される。
【００４３】
仮吊り部１１７は、貫通孔を有し、エンド部材１１４の近傍において、天壁部１１０ａに形成される。
【００４４】
図６〜図８を参照して、挟持部材１００が光源ユニット３を挟持しているときの挟持部材１００について説明する。図６は、図１のＶＩ−ＶＩ線に沿った断面図である。図７（ａ）は、図６の領域ＥＡに含まれる係合部１０及び被係合部８５を示す拡大断面図である。領域ＥＡに含まれない他方の係合部１０及び被係合部８５の構成は、領域ＥＡに含まれる係合部１０及び被係合部８５の構成と同様であり、説明を省略する。図７（ｂ）は、係合部１０及び被係合部８５を示す斜視図である。図７（ｂ）では、図面の簡略化のため、被係合部８５を２点鎖線で示している。
【００４５】
図６に示すように、挟持部材１００の弾性力は電源部８４に向かって作用する。従って、挟持部材１００は、一対の係合部１０で電源部８４を締め付けるとともに、一対の係合部１０に一対の被係合部８５を係合させることによって、電源部８４を挟持する。その結果、光源ユニット３がベースユニット５に取り付けられる。具体的には、図７（ａ）及び図７（ｂ）に示すように、被係合部８５は、略矩形状の貫通孔８５ａを有する。そして、係合部１０の凸部２２が貫通孔８５ａに係合する。なお、係合部１０の摺接部１５は、被係合部８５から離れるように傾斜している。
【００４６】
なお、図６に示すように、カバー部材４０は、一対のベース部４２、一対の側壁部４４、及び一対の隆起部４６を含む。一対のベース部４２の各々は、方向ＰＤ（図５）に沿って延びている。ベース部４２の上面は平坦である。一対の側壁部４４は、互いに対向し、方向ＰＤに沿って延びている。側壁部４４は、ベース部４２の上面から略垂直に起立する。一対の隆起部４６は、一対の側壁部４４を挟むように、一対のベース部４２の上面から隆起し、方向ＰＤに沿って延びている。光源ユニット３は、一対の側壁部４４と一対の隆起部４６とが一対の側壁部１１０ｂの間に配置されるように、ベースユニット５に取り付けられる。また、電源部８４及び光源部６０が取り付けられたベース部材７０は、一対のベース部４２と一対の側壁部４４とに保持される。図６及び図７（ａ）では、図面の簡略化のため、電源回路部８４ａを省略している。
【００４７】
図８は、図１のＶＩＩＩ−ＶＩＩＩ線に沿った断面図である。図８では、図面の簡略化のため、断面を示す斜線を省略している。
【００４８】
図８に示すように、挟持部材１００は、光源ユニット３の長手方向の一対の端部のうちの一方端部よりも、光源ユニット３の重心Ｇに近い位置で光源ユニット３（具体的には電源部８４）を挟持する。従って、実施形態１によれば、光源ユニット３が自重により撓むことを更に抑制できる。特に、挟持部材１００は、光源ユニット３の重心Ｇの近傍で光源ユニット３（具体的には電源部８４）を挟持することが好ましい。
【００４９】
なお、図８に示すように、エンド部材１１４の各々は、支持部１２０及びストッパー１２２を含む。そして、一対の引掛金具８０の先端部は、一対の支持部１２０に当接する。従って、光源ユニット３は、一対の支持部１２０によって支持される。また、ストッパー１２２は、引掛金具８０がエンド部材１１４から外れることを抑制する。
【００５０】
図９及び図１０を参照して、光源ユニット３をベースユニット５に取り付ける手順を説明する。図９は、光源ユニット３をベースユニット５に取り付ける手順の前段を示す斜視図である。図１０（ａ）〜図１０（ｃ）は、光源ユニット３をベースユニット５に取り付ける手順の後段を示す側面図である。
【００５１】
図９に示すように、光源ユニット３は鉤状の仮吊り部材１２４をさらに含む。仮吊り部材１２４は、ベース部材７０に紐によって取り付けられている。
【００５２】
まず、作業者は、光源ユニット３の一方端部を矢印Ｂ１の方向に動かして、引掛金具８０を一方のエンド部材１１４の支持部１２０（図８）に引っ掛ける。次に、作業者は、光源ユニット３の他方端部と共に仮吊り部材１２４を矢印Ｂ２の方向に動かして、仮吊り部材１２４をベースユニット５の仮吊り部１１７（図５）に引っ掛ける。
【００５３】
次に、図１０（ａ）に示すように、作業者は、電源部８４が挟持部材１００に嵌るように、光源ユニット３を矢印Ｂ３の方向に押し上げる。そして、図１０（ｂ）に示すように、作業者は、挟持部材１００に電源部８４を挟持させる。次に、作業者は、光源ユニット３を第１方向ＦＤにスライドさせる。そして、図１０（ｃ）に示すように、作業者は、２つの係合部１０を、それぞれ、２つの被係合部８５に係合させる。つまり、係合部１０は、第１方向ＦＤへの光源ユニット３のスライドに応じて、被係合部８５に係合する。
【００５４】
また、図１０（ｃ）に示すように、作業者は、光源ユニット３を第２方向ＳＤにスライドさせることによって、２つの係合部１０を、それぞれ、２つの被係合部８５から外すことができる。つまり、係合部１０は、第２方向ＳＤへの光源ユニット３のスライドに応じて、被係合部８５から外れる。
【００５５】
係合部１０の摺接部１５は、被係合部８５から離れるように傾斜しているため、光源ユニット３を第２方向ＳＤへスライドさせて、係合部１０を被係合部８５から外すときに、摺接部１５は、被係合部８５の貫通孔８５ａの縁８５ｂに摺接する。従って、摺接部１５を設けない場合と比較して、係合部１０が被係合部８５から円滑に外れる。その結果、ベースユニット５から光源ユニット３を容易に取り外すことができる。
【００５６】
以上、図１〜図１０を参照して説明したように、実施形態１によれば、挟持部材１００を備えることによって、光源ユニット３の取付作業を容易にできる。
【００５７】
（実施形態２）
図１及び図１１〜図１３を参照して、本発明の実施形態２に係る照明器具１について説明する。実施形態２に係る照明器具１の構成は、図１を参照して説明した実施形態１に係る照明器具１の構成と同様である。ただし、実施形態２に係る照明器具１は、実施形態１に係る挟持部材１００に代えて、挟持部１００ａを備える。そして、実施形態２では、挟持部１００ａが光源ユニット３に取り付けられる点で、挟持部材１００がベースユニット５に取り付けられる実施形態１と異なる。以下、実施形態２が実施形態１と異なる構成を主に説明する。
【００５８】
図１１を参照して、挟持部１００ａの詳細について説明する。図１１（ａ）は、挟持部１００ａを示す斜視図である。図１１（ｂ）は、挟持部１００ａを示す断面図である。図１１（ａ）及び図１１（ｂ）では、挟持部１００ａが光源ユニット３に取り付けられたときの配置を示している。
【００５９】
図１１（ａ）及び図１１（ｂ）に示すように、挟持部１００ａは２つの係合部１０を含む。２つの係合部１０は、互いに対向し、対称となるように形成される。係合部１０の各々は、基部１１と、第１傾斜部１２と、第２傾斜部１４と、摺接部１５とを含む。
【００６０】
一対の基部１１の各々は、略板状である。基部１１には貫通孔２０が形成される。貫通孔２０を介して電源部８４の側壁部８４ｃに向かってビスが捻じ込まれ、挟持部１００ａが電源部８４に取り付けられる。なお、実施形態２では、被係合部８５は、電源部８４ではなく、ベースユニット５に形成される。
【００６１】
一対の第１傾斜部１２は、略板状であり、一対の基部１１の先端部から、互いに離れるように延びており、基部１１に対して傾斜している。一対の第２傾斜部１４は、略板状であり、一対の第１傾斜部１２の先端部から、互いに近づくように延びており、第１傾斜部１２に対して傾斜している。第１傾斜部１２と第２傾斜部１４とは、凸部２２を形成する。凸部２２は、断面視略Ｖ字状である。一対の凸部２２は、互いに逆向き（互いに離れる向き）に突き出ている。
【００６２】
一対の摺接部１５は、略板状であり、一対の第１傾斜部１２の側端部から、互いに近づくように延びており、第１傾斜部１２に対して傾斜している。摺接部１５は、第２傾斜部１４の側端部２５に近づくように、第１傾斜部１２の側端部から屈曲している。
【００６３】
図１２及び図１３を参照して、挟持部１００ａが光源ユニット３を挟持しているときの挟持部１００ａについて説明する。図１２は、照明器具１を示す断面図である。図１３（ａ）は、図１２の領域ＥＡに含まれる係合部１０及び被係合部８５を示す拡大断面図である。領域ＥＡに含まれない他方の係合部１０及び被係合部８５の構成は、領域ＥＡに含まれる係合部１０及び被係合部８５の構成と同様であり、説明を省略する。図１３（ｂ）は、係合部１０及び被係合部８５を示す斜視図である。
【００６４】
図１２、図１３（ａ）、及び図１３（ｂ）に示すように、ベースユニット５は２つの被係合部８５を含む。具体的には、凹部１１０の一対の側壁部１１０ｂには、一対の被係合部８５が形成される。被係合部８５の各々は、略矩形状の貫通孔８５ａを含む。実施形態２によれば、被係合部８５を凹部１１０に形成しているため、被係合部８５を専用部材として用意することが要求されず、部品点数及び組立工数を削減できる。
【００６５】
２つの係合部１０は、２つの被係合部８５に対応する。係合部１０の各々は、対応する被係合部８５に係合する。具体的には、凸部２２が、貫通孔８５ａに係合する。実施形態２によれば、係合部１０が被係合部８５に係合するため、光源ユニット３の位置が第１方向ＦＤ又は第２方向ＳＤにずれることを抑制できる。加えて、光源ユニット３の位置が方向ＰＤに交差する方向にずれることを抑制できる。
【００６６】
また、係合部１０の弾性力は側壁部１１０ｂに向かって作用する。従って、挟持部１００ａは、一対の係合部１０で光源ユニット３（具体的には電源部８４）を締め付けるとともに、一対の係合部１０に一対の被係合部８５を係合させることによって、光源ユニット３（具体的には電源部８４）を挟持する。その結果、光源ユニット３がベースユニット５に取り付けられる。実施形態２によれば、作業者は、光源ユニット３を凹部１１０に嵌め込み、光源ユニット３を挟持部材１００に挟持させることによって、ベースユニット５へ光源ユニット３を容易に取り付けることができる。
【００６７】
さらに、係合部１０の摺接部１５は、被係合部８５から離れるように傾斜している。従って、光源ユニット３が、第２方向ＳＤへスライドし、ベースユニット５から取り外されるときに、摺接部１５は、被係合部８５に摺接する。その結果、摺接部１５を設けない場合と比較して、係合部１０が被係合部８５から円滑に外れる。係合部１０が被係合部８５から円滑に外れるため、実施形態２によれば、ベースユニット５から光源ユニット３を容易に取り外すことができる。
【００６８】
以上、図１及び図１１〜図１３を参照して説明したように、実施形態２によれば、実施形態１と同様に、挟持部１００ａを備えることによって、光源ユニット３の取付作業を容易にできる。その他、実施形態２は、実施形態１と同様の効果を有する。
【００６９】
以上、図面を参照しながら本発明の実施形態について説明した。但し、本発明は、上記の実施形態に限られるものではなく、その要旨を逸脱しない範囲で種々の態様において実施することが可能である（例えば、下記に示す（１）、（２））。また、上記の実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【００７０】
（１）図４（ａ）を参照して説明したように、実施形態１では、挟持部材１００は一体成形されていたが、連結部１８を設けることなく、一方の係合部１０と他方の係合部１０とを別々の部材として設けることもできる。また、図１１（ａ）を参照して説明したように、実施形態２では、挟持部１００ａは、２つの係合部１０を別々の部材として有していた。ただし、２つの係合部１０を連結部によって連結し、一体成形によって形成してもよい。
【００７１】
（２）図６及び図１２を参照して説明したように、実施形態１及び実施形態２では、被係合部８５は貫通孔８５ａを含むが、貫通孔８５ａに代えて、凹部を含んでもよい。
【００７２】
また、実施形態１及び実施形態２では、２つの係合部１０及び２つの被係合部８５を設けたが、３以上の係合部１０及び３以上の被係合部８５を設けてもよい。ただし、偶数個の係合部１０及び偶数個の被係合部８５を設けることが好ましい。また、１つの挟持部材１００又は１つの挟持部１００ａを設けたが、複数の挟持部材１００又は複数の挟持部１００ａを設けてもよい。
【００７３】
さらに、実施形態１では、電源部８４に被係合部８５を形成し、実施形態２では、凹部１１０に被係合部８５を形成した。ただし、電源部８４又は凹部１１０に被係合部８５を形成することなく、電源部８４又は凹部１１０とは別の部材として被係合部８５を設けてもよい。また、電源部８４は、光源ユニット３に設けてもよいし、ベースユニット５に設けてもよい。
【産業上の利用可能性】
【００７４】
本発明は、照明器具を提供するものであり、産業上の利用可能性を有する。
【符号の説明】
【００７５】
１    照明器具
３    光源ユニット
５    ベースユニット
１０    係合部
１５    摺接部
６０    光源部
８０    引掛金具（引掛部材）
８４    電源部
８５    被係合部
１００    挟持部材（挟持部）
１００ａ    挟持部
１１０    凹部
ＦＤ    第１方向
ＳＤ    第２方向
【図１】
2016212994.tif 000003
【図２】
2016212994.tif 000004
【図３】
2016212994.tif 000005
【図４】
2016212994.tif 000006
【図５】
2016212994.tif 000007
【図６】
2016212994.tif 000008
【図７】
2016212994.tif 000009
【図８】
2016212994.tif 000010
【図９】
2016212994.tif 000011
【図１０】
2016212994.tif 000012
【図１１】
2016212994.tif 000013
【図１２】
2016212994.tif 000014
【図１３】
2016212994.tif 000015
【手続補正書】
【提出日】平成27年10月30日(2015.10.30)
【手続補正１】
【補正対象書類名】特許請求の範囲
【補正対象項目名】全文
【補正方法】変更
【補正の内容】
【特許請求の範囲】
【請求項１】
光を出射する光源ユニットと、
凹部を含むベースユニットと、
前記凹部内で前記光源ユニットを挟持する挟持部と
を備え、
前記光源ユニットは、前記凹部内で、前記ベースユニットが延びる方向に沿ってスライドし、前記ベースユニットに取り付けられる、照明器具。
【請求項２】
少なくとも２つの被係合部をさらに備え、
前記挟持部は、
前記少なくとも２つの被係合部に対応し、各々が対応する前記被係合部に係合する少なくとも２つの係合部を含む、請求項１に記載の照明器具。
【請求項３】
前記係合部の各々は、
第１方向への前記光源ユニットのスライドに応じて、前記被係合部に係合し、
前記第１方向と逆の第２方向への前記光源ユニットのスライドに応じて、前記被係合部から外れ、
前記係合部の各々は、摺接部を含み、
前記摺接部は、前記光源ユニットが前記第２方向へスライドするときに、前記被係合部に摺接する、請求項２に記載の照明器具。
【請求項４】
前記挟持部は、前記光源ユニットの両端部のうちの一方端部よりも、前記光源ユニットの重心に近い位置で前記光源ユニットを挟持する、請求項１から請求項３のいずれか１項に記載の照明器具。
【請求項５】
前記光源ユニットは、光源部と、前記光源部に電力を供給する電源部とを含み、
前記挟持部は、前記凹部内で前記電源部を挟持する、請求項１から請求項４のいずれか１項に記載の照明器具。
【請求項６】
前記挟持部は、前記凹部に取り付けられる、請求項１から請求項５のいずれか１項に記載の照明器具。
【請求項７】
前記挟持部は、前記光源ユニットに取り付けられる、請求項１から請求項５のいずれか１項に記載の照明器具。
【請求項８】
前記光源ユニットは、前記ベースユニットに引っ掛けられる引掛部材を含む、請求項１から請求項７のいずれか１項に記載の照明器具。
【手続補正書】
【提出日】平成28年4月13日(2016.4.13)
【手続補正１】
【補正対象書類名】特許請求の範囲
【補正対象項目名】全文
【補正方法】変更
【補正の内容】
【特許請求の範囲】
【請求項１】
光を出射する光源ユニットと、
凹部を含むベースユニットと、
前記凹部内で前記光源ユニットを挟持する挟持部と
を備え、
前記光源ユニットは、前記凹部内で、前記ベースユニットが延びる方向に沿ってスライドし、前記ベースユニットに取り付けられ、
前記光源ユニットは、光源部を含み、
前記光源部は、実装面を有する基板と、前記実装面に実装されるＬＥＤとを含み、
前記ベースユニットが延びる前記方向は、前記実装面に沿った方向を示す、照明器具。
【請求項２】
少なくとも２つの被係合部をさらに備え、
前記挟持部は、
前記少なくとも２つの被係合部に対応し、各々が対応する前記被係合部に係合する少なくとも２つの係合部を含む、請求項１に記載の照明器具。
【請求項３】
前記係合部の各々は、
第１方向への前記光源ユニットのスライドに応じて、前記被係合部に係合し、
前記第１方向と逆の第２方向への前記光源ユニットのスライドに応じて、前記被係合部から外れ、
前記係合部の各々は、摺接部を含み、
前記摺接部は、前記光源ユニットが前記第２方向へスライドするときに、前記被係合部に摺接する、請求項２に記載の照明器具。
【請求項４】
前記挟持部は、前記光源ユニットの両端部のうちの一方端部よりも、前記光源ユニットの重心に近い位置で前記光源ユニットを挟持する、請求項１から請求項３のいずれか１項に記載の照明器具。
【請求項５】
前記光源ユニットは、前記光源部に電力を供給する電源部をさらに含み、
前記挟持部は、前記凹部内で前記電源部を挟持する、請求項１から請求項４のいずれか１項に記載の照明器具。
【請求項６】
前記挟持部は、前記凹部に取り付けられる、請求項１から請求項５のいずれか１項に記載の照明器具。
【請求項７】
前記挟持部は、前記光源ユニットに取り付けられる、請求項１から請求項５のいずれか１項に記載の照明器具。
【請求項８】
前記光源ユニットは、前記ベースユニットに引っ掛けられる引掛部材を含む、請求項１から請求項７のいずれか１項に記載の照明器具。